【事件の表示】
　平成　９年特許願第１８０１７６号「記録再生装置及び記録再生方法」拒絶査定不服審判事件〔平成１０年　９月　２日出願公開、特開平１０−２３４００７〕について、次のとおり審決する。
【結　論】
　本件審判の請求は、成り立たない。
【理　由】
第１　手続の経緯等
　１　経緯
　本件出願は、平成９年７月４日（優先権主張平成８年１２月１８日）の出願であって、 平成１６年４月２６日付けで審査請求がなされるとともに手続補正がなされ、平成１８年１１月９日付けで拒絶理由通知がなされ、これに対して平成１９年１月１５日付けで手続補正がなされ、同年２月１６日付けで最後の拒絶理由通知がなされ、これに対して同年５月１日付けで手続補正がなされたところ、同年６月１１日付けで同年５月１日付け手続補正が却下されるとともに同日付で拒絶査定がなされたものである。
　本件は、本件出願についてなされた上記拒絶査定を不服として平成１９年７月１９日付けで請求された拒絶査定不服審判であって、平成１９年８月２０日で手続補正（明細書又は図面について請求の日から３０日以内にする補正）がなされたものである。
　
　２　査定
　拒絶査定の理由である平成１９年２月１６日付けの最後の拒絶理由通知の概要は次のようである。
　
　平成１９年１月１５日付けでした手続補正は、下記の点で願書に最初に添付した明細書又は図面に記載した事項の範囲内においてしたものでないから、特許法第１７条の２第３項に規定する要件を満たしていない。
　
（１）請求項１には、「制御手段は、上記受信手段により受信したビデオ信号又は上記再生手段により再生されたビデオ信号の映像が上記表示手段で表示された後、該表示手段で表示された映像のビデオ信号を視聴者の操作入力に基づき消去可または消去不可の状態で上記保存領域に保存し、上記保存領域に保存したビデオ信号の保存又は消去の管理を行うことを特徴とする」と記載されているが、・・・表示手段で表示された後、例えばユーザが番組消去画面でＹＥＳのボタンを押した番組のように、リングバッファ領域に記録されている映像信号のうち保存を希望しない番組についてまで、保存領域に保存することは当初明細書に記載されているとは認められない。
　したがって、請求項１に記載されているように「表示手段で表示された後、該表示手段で表示された映像のビデオ信号を視聴者の操作入力に基づき消去可または消去不可の状態で上記保存領域に保存」ことは、当初明細書の記載から自明な事項とも認められない。
（２）請求項１３には、「上記保存領域に保存された上記ビデオ信号を再生し、　上記保存領域から再生されたビデオ信号に基づき上記表示手段によって映像を表示し、上記表示手段に映像が表示された後、視聴者によって消去すると操作入力された上記ビデオ信号を消去可の状態とする」と記載されているが、・・・保存領域の番組を再生する場合について、具体的に如何にして消去可の状態にするかは、記載されていない。また発明の詳細な説明の他所の記載を参酌しても、「保存領域から再生されたビデオ信号」に基づき、表示手段に映像が表示された後、視聴者によって消去すると操作入力された上記ビデオ信号を消去可の状態とすることは自明なこととも認められない。
　
　なお、拒絶査定の理由である平成１９年２月１６日付けの最後の拒絶理由通知は「平成１９年７月４日付けでした手続補正は、下記の点で願書に最初に添付した明細書又は図面に記載した事項の範囲内においてしたものでないから、特許法第１７条の２第３項に規定する要件を満たしていない。」と記載しているが、指摘した具体的内容からみて、「平成１９年７月４日付けでした手続補正」が誤記であって、正しくは「平成１９年１月１５日付けでした手続補正」であることが明らかであり、請求人も、平成１９年５月１日付け意見書において、「平成１９年１月１５日付けでした手続補正」の具体的内容に付き意見を述べていることから、平成１９年２月１６日付けの最後の拒絶理由通知により、上記のように「平成１９年１月１５日付けでした手続補正」についての拒絶理由が通知がされている。
　
第２　補正却下の決定
　平成１９年８月２０日付けの手続補正について次のとおり決定する。
　
〈補正却下の決定の結論〉
　平成１９年８月２０日付けの手続補正を却下する。
　
〈補正却下の決定の理由〉
　１　補正の内容
　平成１９年８月２０日付けの手続補正（以下、「本件補正」ともいう）により補正する特許請求の範囲の請求項１（以下、「補正後請求項１」ともいう）は、次のとおりである。
　
「ビデオ信号が連続的に上書記録されていくリングバッファ領域とビデオ信号が保存される保存領域とからなるランダムアクセス可能な記録媒体と、
　ビデオ信号を受信する受信手段と、
　上記受信手段により受信したビデオ信号を上記記録媒体のリングバッファ領域に記録する記録手段と、
　上記記録媒体に記録されたビデオ信号を再生する再生手段と、
　上記受信手段により受信したビデオ信号又は上記再生手段により再生されたビデオ信号に基づき映像を表示する表示手段と、
　上記記録媒体に記録されたビデオ信号の保存又は消去の管理を行う制御手段とを備え、
　上記制御手段は、上記再生手段により再生されたビデオ信号の映像が上記表示手段で表示された後、該表示手段で表示された映像のビデオ信号を視聴者の操作入力に基づき消去可または消去不可の状態で上記保存領域に保存し、上記保存領域に保存したビデオ信号の保存又は消去の管理を行うことを特徴とする記録再生装置」
　
　２　補正の適否
　上記補正された請求項１に記載の「該表示手段で表示された映像のビデオ信号を視聴者の操作入力に基づき消去可または消去不可の状態で上記保存領域に保存し」において、すなわち、特に、表示手段で表示された映像のビデオ信号を視聴者の操作入力に基づき消去可の状態で保存領域に保存することに関して、本願の願書に最初に添付した明細書及び図面（以下、単に「当初明細書等」という。）には、次に示すとおりの記載がなされている。
　
（当初明細書等の記載）
「【０００１】
　【発明の属する技術分野】
　本発明は、ビデオ信号を記録再生する記録再生装置に関し、特にランダムアクセス可能な記録媒体を用いる記録再生装置に関する。
　【０００２】
　【従来の技術】
　テレビジョン放送等により供給される映像，音声，データ等を記録する場合、一般にビデオテープに録画をしているが、近年、画像圧縮等の技術の進歩により、ハードディスク等のランダムアクセスが可能な記録媒体に記録する記録再生装置の利用が考えられている。ビデオテープの代わりにハードディスクを用いることにより、ビデオテープの巻き戻しや早送り等の操作が不要となる。また、希望の番組がどこに記録されているか探す手間もなくなる。
　【０００３】
　また、テレビジョン放送として放送される１日分すべての映像等を予めハードディスク等に記録しておき、後から希望の番組のみを選択して見ることも考えられる。このように、１日分すべてのテレビジョン放送をハードディスク等に記録しておき、後から希望の番組のみを選択して見ることにより、例えば、記録再生装置の視聴者が記録媒体の残量を気にしなくても済む。また、操作を誤った場合や番組延長により放送時間がずれた場合などを想定せず記録ができる。
　【０００４】
　【発明が解決しようとする課題】
　ところが、記録再生装置のハードディスクの容量が１日分の放送の記録容量のみしかない場合、再生した番組はすぐに消去しなければならない。そのため、例えば、再生中に電話に出ていた等の事情により、再生はしていたが実際には見ていない番組も消去されてしまうといった問題が生じる。
　【０００５】
　またハードディスクに記録された番組の信号を保存する場合、その都度番組の信号が記録されている領域から保存専用領域に、番組の信号を移動して保存しなければならなかった。」
　
「【００２３】
　ここで、ハードディスク５は、図２に示すように、記録領域がリングバッファ領域と保存領域とに分割されている。リングバッファ領域は、１日分の番組すべてを記録でき、新たな番組の上書き記録が可能な領域である。保存領域は、リングバッファ領域に記録した１日分の番組とは別に視聴者が保存を希望する番組が記録され、新たな番組の上書き記録がなされない領域である。これらの記録領域に記録されている番組は、マイコン９により管理されている。また、保存領域に記録された番組には、それぞれ番組消去フラグがついており、この番組消去フラグはマイコン９により管理されている。この番組消去フラグは、ハードディスク５に記録されている番組のうち消去する番組を管理するフラグである。
　【００２４】
　また、このハードディスク５は、保存領域に新しい番組を保存する場合、番組消去フラグが立っていて記録日時が一番古い番組が記録されている領域に新しい番組を記録するようにマイコン９により管理されている。つまり、記録した番組の時系列がマイコン９により管理され、新しい番組が記録されると古い番組が押し出される形で消去される。したがって、視聴者が記録した番組の消去を希望し、そのため記録した番組に番組消去フラグが立っているときでも、先に、番組消去フラグが立っている古い番組が残っていればすぐにはその番組は消去されない。」
　
「【００３０】
　復活可能リストとは、視聴者が保存を希望しないとしたため消去フラグが立っているが、まだその記録領域に別の番組が記録されておらず、番組がハードディスク５に残っているもののリストである。つまり、ハードディスク５に記録されている番組は、番組消去フラグが立っていて記録日時が一番古い番組が記録されている領域に記録するようにマイコン９により管理されているため、消去フラグが立っていてもまだ番組が残っている場合があるからである。」
　
「【００２６】
　記録再生装置１のハードディスク５に記録した番組の管理方法について説明する。
　【００２７】
　まず、ハードディスク５に保存されている番組は、番組のリストとしてマイコン９に管理されている。これらの番組は、保存リストと消去リストとに分けてマイコン９に管理される。
　【００２８】
　保存リストは、視聴者が保存を希望した番組のリストであり、ハードディスク５の保存領域に記録される。この保存リストには、記録日時、番組名、保存期間、再生回数の４項目がリストアップされている。
　【００２９】
　また、消去リストは、視聴者が保存を希望しない番組のリストであり、復活可能リストと完全消去済リストとに分けられている。
　【００３０】
　復活可能リストとは、視聴者が保存を希望しないとしたため消去フラグが立っているが、まだその記録領域に別の番組が記録されておらず、番組がハードディスク５に残っているもののリストである。つまり、ハードディスク５に記録されている番組は、番組消去フラグが立っていて記録日時が一番古い番組が記録されている領域に記録するようにマイコン９により管理されているため、消去フラグが立っていてもまだ番組が残っている場合があるからである。
　【００３１】
　この復活可能リストは、記録日時、番組名、消去日時、再生回数の４項目がリストアップされている。
　【００３２】
完全消去済リストとは、番組が記録されていた領域に別の番組を記録したため、完全に消去された番組のリストである。
　【００３３】
　完全消去済リストは、記録日時、番組名、消去日時、完全消去日時、再生回数の５項目がリストアップされている。またこの完全消去済リストは、消去した日が近いものから所定数の番組、例えば１０番組がリストアップされる。
　【００３４】
　なお、この消去リストにリストアップされる番組は、ハードディスク５の保存領域に記録されている。
　【００３５】
　図３及び図４は、上述した消去リスト及び保存リストの管理方法を示したフローチャートである。
　【００３６】
　記録再生装置１の視聴者がリモコン１２を操作することにより、ハードディスク５に記録した番組の管理を開始する。
　【００３７】
　図３に示すステップＳ１０１において、記録再生装置１は、視聴者がリモコン１２のリスト表示ボタンを押すと、ステップＳ１０２において、図５に示すリスト表示画面に表示する。このリスト表示画面は、消去リスト又は保存リストのいずれかのリストを選択する画面であり、視聴者は、リモコン１２を利用してカーソルを上下に動かし『消去リスト』又は『保存リスト』を選択する。
　【００３８】
　ステップＳ１０３において、ステップＳ１０２で視聴者が選択したリストの判断をする。消去リストが選択された場合はステップＳ１０４に進み、消去リストが選択されなかった場合は後述する図４のステップＳ１２１からの処理に進む。
　【００３９】
　消去リストが選択されると、ステップＳ１０４において、図６に示す消去リストの復活可能リストと完全消去済リストの選択画面を表示する。視聴者は、リモコン１２を利用し『復活可能リスト』又は『完全消去済リスト』を選択する。
　【００４０】
　ステップＳ１０５において、視聴者が選択した消去リストの判断をする。復活可能リストが選択された場合はステップＳ１０６に進み、復活可能リストが選択されなかった場合はステップＳ１１２に進む。
　【００４１】
　復活可能リストが選択されると、ステップＳ１０６において復活可能リストを表示する。この復活可能リストは、図７に示すように記録日時、番組名、消去日時、再生回数の４項目がリストアップされている。視聴者は、このリスト表示に基づきこれらの番組を復活（保存）するか或いは完全に消去するかどうかを選択できる。この場合、視聴者は、復活可能リストが表示されている画面でカーソルを上下に動かし番組を選択する。番組を選択した後、図８に示すように、『番組の復活（保存）』或いは『完全消去』の選択を行う。
　【００４２】
　ステップＳ１０７において、番組を復活（保存）するか完全消去するかの判断をする。選択した番組を復活（保存）する場合はステップＳ１０８に進み、選択した番組を完全消去する場合はステップＳ１１０に進む。
　【００４３】
　選択した番組を復活（保存）する場合は、ステップＳ１０８において図９（ａ）に示す保存確認画面を表示し、ステップＳ１０９において、番組の消去フラグをさげて処理を終了する。また、ステップＳ１１０において、図９（ｂ）に示す完全消去確認画面を表示し、ステップＳ１１１において、番組を消去し処理を終了する。
　【００４４】
　ステップＳ１０６で完全消去リストを選択した場合は、ステップＳ１１２において図１０に示す完全消去リストを表示する。このとき、完全に消去された番組を時間的に近い順に１０個の番組を表示する。この完全消去リストは、記録日時、番組名、消去日時、完全消去日時、再生回数の５項目がリストアップされている。ステップＳ１１２で完全消去リストを表示したのちに処理を終了する。
　【００４５】
　このように、記録再生装置１は、上述したステップＳ１０１からステップＳ１１２までの処理により消去リストの管理をすることができる。
　【００４６】
　一方、ステップＳ１０２において、消去リストが選択されなかった場合、つまり保存リストが選択された場合は、図４に示すステップＳ１２１から処理が進む。
　【００４７】
　保存リストが選択された場合はステップＳ１２１において、図１１に示す保存リストを表示する。この保存リストは、記録日時、番組名、保存期間、再生回数の４項目がリストアップされている。
　【００４８】
　ステップＳ１２２において、視聴者は、リモコン１２を利用し保存リストの番組を消去するか保存期間を修正するかを選択する。この場合、視聴者は、保存リストが表示されている画面でカーソルを上下に動かし番組を選択する。番組が選択されると、図１２に示す画面が表示され、視聴者は『番組の消去』或いは『保存期間の修正』を選択する。
　【００４９】
　ステップＳ１２３において、番組を消去するか修正をするかの判断をする。選択した番組を消去する場合はステップＳ１２４に進み、選択した番組の保存期間を修正する場合はステップＳ１２７に進む。
　【００５０】
　選択した番組を消去する場合は，ステップＳ１２４において図１３に示す画面を表示し再度消去の確認を行う。ここで、番組の消去をしないと選択した場合はステップＳ１２３に戻り、番組の消去をすると選択した場合はステップＳ１２５に進む。
　【００５１】
　番組の消去をする場合は、ステップＳ１２５において図１４に示す消去確認画面を表示し、ステップＳ１２６において番組の消去フラグを上げて処理を終了する。
　【００５２】
　また、ステップＳ１２３で番組の保存期間を修正すると選択した場合は、ステップＳ１２７において、図１５に示す画面が表示され、再度番組の保存期間を修正をするか否かの確認をする。ここで、番組の保存期間の修正をしないと選択した場合はステップＳ１２３に戻り、番組の保存期間の修正をすると選択した場合はステップＳ１２８に進む。
　【００５３】
　番組の保存期間の修正をする場合は、ステップＳ１２８において図１６に示す保存年月日入力画面が表示される。視聴者は、リモコン１２のテンキーでこの画面の指示に基づき保存年月日を入力する。
　【００５４】
　ステップＳ１２９において、保存年月日が入力されたか否かを判断する。保存年月日が入力されていれば、ステップＳ１３０において、この年月日のデータを保存する番組のリストに加え処理を終了する。
　【００５５】
　また、ステップＳ１２９において、保存年月日が所定時間入力されない場合は、変更前の保存年月日のままで処理を終了する。
　【００５６】
　このように、記録再生装置１は、上述したステップＳ１２１からステップＳ１３１までの処理により保存リストの管理をすることができる。」
　
「【００５８】
　次に、視聴者が、放送された番組をリアルタイムで見る場合の記録再生装置１の処理内容について説明する。
　【００５９】
　図１７は、視聴者がリアルタイムで番組を見る場合の記録再生装置１の処理内容を説明するフローチャートである。
　【００６０】
　視聴者がリアルタイムで番組を見る場合は、視聴者がリモコン１２等で電源スイッチを入れることにより処理が開始される。
　【００６１】
　ステップＳ２０１において、記録再生装置１は、映像デコード部３で復調した番組の映像信号をそのままモニタ８に供給し、ステップＳ２０２において、番組の映像等を出力する。この際、モニタ８から出力されている映像の映像信号は、同時にハードディスク５のリングバッファ領域に記録されている。
　【００６２】
　番組が終了すると、ステップＳ２０３において、図１８（ａ）に示す『終』を表示し、その後、図１８（ｂ）に示す番組消去確認画面を表示する。視聴者は、リモコン１２を利用しステップＳ２０２で出力された番組を消去するか保存するかを選択する。番組を消去する場合は『ＹＥＳ』ボタンを押し、番組を保存する場合は『ＮＯ』ボタンを押す。
　【００６３】
　ステップＳ２０４において、ステップＳ２０３で表示した番組消去確認画面に基づいて視聴者がリモコン１２のＹＥＳ又はＮＯのボタンを押したか否かを判断する。視聴者がＹＥＳ又はＮＯのボタンを押した場合はステップＳ２０５に進み、押さずに所定時間経過した場合はステップＳ２０８に進む。
　【００６４】
　視聴者がＹＥＳ又はＮＯのボタンを押した場合は、ステップＳ２０５において番組消去確認画面に基づいて視聴者が押したリモコン１２のＹＥＳ又はＮＯのボタンを判断する。視聴者がＹＥＳのボタンを押した場合は、ステップＳ２０６に進み、視聴者がＮＯのボタンを押した場合は、ステップＳ２０８に進む。
　【００６５】
　視聴者がＹＥＳのボタンを押した場合は、ステップＳ２０６において図１９に示す消去確認画面を表示し、ステップＳ２０７において消去フラグを立て処理を終了する。
　【００６６】
　また、ステップＳ２０４でボタンを押さずに所定時間経過した場合、またはステップＳ２０５でＮＯのボタンを押した場合は、ステップＳ２０８において、図２０に示す保存確認画面を表示し、ステップＳ２０９において、番組の消去フラグを下げて処理を終了する。
　【００６７】
　このように、記録再生装置１は、上述したステップＳ２０１からステップＳ１２０９までの処理によりリアルタイムでの再生をすることができる。
　【００６８】
　次に、視聴者がハードディスク５のリングバッファ領域に記録した番組を見る場合の記録再生装置１の処理内容について説明する。
　【００６９】
　図２１及び図２２は、ハードディスク５のリングバッファ領域に記録した番組を見る場合の記録再生装置１の処理内容を説明するフローチャートである。
　【００７０】
　記録再生装置１の視聴者がリモコン１２を操作することによりハードディスク５のリングバッファ領域に記録した番組の再生が開始する。ここで、ハードディスク５のリングバッファ領域には、記録再生装置１の装置機能である１日分の番組をすべて保存する機能により未再生の番組が保存してある。
　【００７１】
　ステップＳ３０１において、ハードディスク５のリングバッファ領域に記録された番組の中から視聴者が再生を希望する番組が選択される。
　【００７２】
　ステップＳ３０２において、ハードディスク５の保存領域に視聴者が選択した番組を保存することができる容量があるかないかを判断する。ハードディスク５の保存領域に視聴者が選択した番組を保存することができる容量がある場合は、ステップＳ３０３に処理が進み、ハードディスク５の保存領域に視聴者が選択した番組を保存することができる容量が足りない場合は、図２２に示すステップＳ３２１から処理が進み不足分の容量を確保する。
　【００７３】
　ハードディスク５の保存領域に視聴者が選択した番組を保存することができる容量がある場合、ステップＳ３０３において、視聴者が選択した番組を再生する。
　【００７４】
　視聴者が選択した番組の再生が終了すると、ステップＳ３０４に進む。ステップＳ３０４において、視聴者が選択した番組の再生が終了すると、図２３（ａ）に示す『終』を表示し、その後、図２３（ｂ）に示す番組消去確認画面を表示する。視聴者は、リモコン１２を利用しステップＳ３０３で出力した番組を消去するか保存するかを選択する。消去する場合は『ＹＥＳ』ボタンを押し、保存する場合は『ＮＯ』ボタンを押す。
　【００７５】
　ステップＳ３０５において、ステップＳ３０４で表示した番組消去確認画面に基づいて視聴者がリモコン１２のＹＥＳ又はＮＯのボタンのいずれを押したかを判断する。視聴者がＹＥＳのボタンを押した場合はステップＳ３０６に進み、ＮＯのボタンを押した場合はステップＳ３０９に進む。
　【００７６】
　視聴者がＹＥＳのボタンを押した場合は、ステップＳ３０６において、図２４に示す消去確認画面を表示し、ステップＳ３０７において、記録された番組を消去し、ステップＳ３０８において、番組の消去フラグを上げて処理を終了する。
　【００７７】
　また、ステップＳ３０５で番組を保存すると判断した場合は、ステップＳ３０９において、図２５に示す保存年月日入力画面が表示される。視聴者は、リモコン１２のテンキーでこの画面の指示に基づき保存年月日を入力する。
　【００７８】
　ステップＳ３１０において、視聴者により保存年月日が入力されたか否かを判断する。保存年月日が入力されていればステップＳ３１１に進み、保存年月日が所定時間入力されない場合はステップＳ３１４に進む。。
　【００７９】
　視聴者により保存年月日が入力されると、ステップＳ３１１において図２６に示す確認表示をし、ステップＳ３１２においてこの年月日のデータを保存する番組のリストに加え、ステップＳ３１３において番組消去フラグを下げ処理を終了する。
　【００８０】
　また、ステップＳ３１０で保存年月日が所定時間入力されない場合は、図２７に示す表示をし自動的に１日後の保存年月日をリストに加え処理を終了する。
　【００８１】
　一方、ステップＳ３０２で番組を保存できるだけの容量がハードディスク５の保存領域にないと判断した場合は、図２２に示すステップＳ３２１に進む。
　【００８２】
　ステップＳ３２１において、図２８に示す容量不足表示をする。
　【００８３】
　ステップＳ３２２において、図２９に示す保存リストを表示する。
　【００８４】
　ステップＳ３２３において、保存リストに示されている番組の中から消去できるものがあれば視聴者がリモコン１２の『ＹＥＳ』のボタンを押し、処理がステップＳ３２４に進む。また、視聴者がこの保存リストのなかには消去できるものがないと判断すればリモコン１２の『ＮＯ』のボタンを押し、処理が図２１に示すスタートから再度開始される。
　【００８５】
　ステップＳ３２４において、視聴者は、図３０に示す保存リストの表示に基づき画面でカーソルを上下に動かし番組を選択する。そして、このステップＳ３２４において選択された番組に番組消去フラグを立てる。
　【００８６】
　ステップＳ３２５において、視聴者が選択した番組を消去することにより、再生する番組を保存できる容量が確保されたか否かを判断する。容量が確保された場合は、図２１に示すステップＳ３０３に進み番組を再生する。容量が確保されない場合はステップＳ３２６に進む。
　【００８７】
　ステップＳ３２６において、図３１に示す容量不足表示をする。この表示の後ステップＳ３２４に進み、視聴者が消去する番組を再度選択し直す。
　【００８８】
　このように、記録再生装置１は、上述したステップＳ３０１からステップＳ３２６までの処理により保存リストの管理をすることができる。」
　
「【００９７】
　以上のように、記録再生装置１では、視聴者がハードディスク５のリングバッファ領域に記録されている番組を再生して映像を見た後に、番組消去確認画面に基づきこの番組を保存するか消去するかを選択する。保存する場合はハードディスク５の保存領域に記録され、他の番組が上書き記録されず保存される。このことにより、記録再生装置１では、ハードディスク５で１日分のテレビジョン放送を記録することができ、さらに、その操作性を向上をすることができる。
　【００９８】
　記録再生装置１では、番組が終了した後に番組消去確認画面を表示するため、再生はしたが実際には見ていない番組が自動的に消去されない。また、消去する番組には番組消去フラグを立てて管理するため、一度消去の処理をした後でも消去の取消をすることができる。」
（当初明細書等の記載、以上）
　
　当初明細書等では、「上記再生手段により再生されたビデオ信号の映像が上記表示手段で表示された後、該表示手段で表示された映像のビデオ信号を」「上記保存領域に保存（し）」することについて、図２１を中心にして説明されており、特に、段落【００７４】ないし【００７９】において、「ステップＳ３０４において、視聴者が選択した番組の再生が終了すると、図２３（ａ）に示す『終』を表示し、その後、図２３（ｂ）に示す番組消去確認画面を表示する。視聴者は、リモコン１２を利用しステップＳ３０３で出力した番組を消去するか保存するかを選択する。消去する場合は『ＹＥＳ』ボタンを押し、保存する場合は『ＮＯ』ボタンを押す。」（【００７４】）とされるボタンの「ＮＯのボタンを押した場合はステップＳ３０９に進（む。）」（【００７５】）み、「ステップＳ３０５で番組を保存すると判断した場合は、ステップＳ３０９において、図２５に示す保存年月日入力画面が表示され」（【００７７】）、その後、「保存年月日が所定時間入力されない場合はステップＳ３１４に進む。」（【００７８】）（図２１のＳ３１４は「番組を自動保存する」とされている。）、もしくは、「ステップＳ３１２においてこの年月日のデータを保存する番組のリストに加え、ステップＳ３１３において番組消去フラグを下げ処理を終了する。」（【００７９】）（図２１のＳ３１２は「入力された期間番組を保存する」とされている。）に進んで、「上記再生手段により再生されたビデオ信号の映像が上記表示手段で表示された後、該表示手段で表示された映像のビデオ信号を」「上記保存領域に保存（し）」することが説明されている。
　当初明細書等には「上記再生手段により再生されたビデオ信号の映像が上記表示手段で表示された後、該表示手段で表示された映像のビデオ信号を」「上記保存領域に保存（し）」することについて、上記説明を越える説明はない。
　この説明によると、「上記再生手段により再生されたビデオ信号の映像が上記表示手段で表示された後、該表示手段で表示された映像のビデオ信号を」「上記保存領域に保存（し）」（Ｓ３１４もしくはＳ３１２）するとき、「消去フラグを立てる又は上げる（「消去可の状態」）」ことを行っていない。つまり、補正後請求項１における「上記制御手段は、上記再生手段により再生されたビデオ信号の映像が上記表示手段で表示された後、該表示手段で表示された映像のビデオ信号を視聴者の操作入力に基づき消去可または消去不可の状態で上記保存領域に保存し」のうち、「消去可」「の状態で上記保存領域に保存（し）」すること、すなわち、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することは説明されていない。
　
　「消去可の状態」（消去フラグを立てる又は上げる）については、当初明細書等の図２及びその説明（特に段落【００２４】）、図４及びその説明（特に【００５１】）、図１７及びその説明（特に段落【００６５】）、図２１及びその説明（特に段落【００７６】）、図２２及びその説明（特に段落【００８５】）、段落【００９８】で説明されているので、次に検討する。
　
　図２及びその説明（特に段落【００２４】）には、「このハードディスク５は、保存領域に新しい番組を保存する場合、番組消去フラグが立っていて記録日時が一番古い番組が記録されている領域に新しい番組を記録するようにマイコン９により管理されている。つまり、記録した番組の時系列がマイコン９により管理され、新しい番組が記録されると古い番組が押し出される形で消去される。したがって、視聴者が記録した番組の消去を希望し、そのため記録した番組に番組消去フラグが立っているときでも、先に、番組消去フラグが立っている古い番組が残っていればすぐにはその番組は消去されない。」（【００２４】）とあって、「保存領域に・・・番組消去フラグが立っていて・・・番組が記録されている」のであるから、「保存領域に」「消去可の状態」で「番組が記録されている」ことが説明されているといえる。
　しかしながら、この説明は、「保存領域に」「消去可の状態」で「番組が記録されている」とは、「番組が記録されている」状態をいうのであって、その番組を記録するときのことまでいうものではないから、図２及びその説明（段落【００２４】）が「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明しているとはいえない。
　
　図４及びその説明（特に【００５１】）には、
　「ステップＳ１０３において、ステップＳ１０２で視聴者が選択したリストの判断をする。消去リストが選択された場合はステップＳ１０４に進み、消去リストが選択されなかった場合は後述する図４のステップＳ１２１からの処理に進む。」（【００３８】）、
　「一方、ステップＳ１０２において、消去リストが選択されなかった場合、つまり保存リストが選択された場合は、図４に示すステップＳ１２１から処理が進む。」（【００４６】）、
　「保存リストが選択された場合はステップＳ１２１において、図１１に示す保存リストを表示する。・・・」（【００４７】）、
　「ステップＳ１２２において、視聴者は、・・・保存リストの番組を消去するか保存期間を修正するかを選択する。・・・番組が選択されると、図１２に示す画面が表示され、視聴者は『番組の消去』或いは『保存期間の修正』を選択する。」（【００４８】）、
　「番組の消去をする場合は、ステップＳ１２５において図１４に示す消去確認画面を表示し、ステップＳ１２６において番組の消去フラグを上げて処理を終了する。」（【００５１】）、
　「このように、記録再生装置１は、上述したステップＳ１２１からステップＳ１３１までの処理により保存リストの管理をすることができる。」（【００５６】）
　とあるから、「ステップＳ１２６において番組の消去フラグを上げ」（図４のＳ１２６では「番組消去フラグを立てる」とされる）るのは、「保存リストの管理をする」ためのものであり、「番組の消去をする場合は、ステップＳ１２５において図１４に示す消去確認画面を表示し、ステップＳ１２６において番組の消去フラグを上げて処理を終了する。」から、「ステップＳ１２６において番組の消去フラグを上げ」「上記保存領域に保存（し）」するとはいえない。
　そうであるから、図４及びその説明（特に【００５１】）は、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明していない。
　
　図１７及びその説明（特に段落【００６５】）には、
　「図１７は、視聴者がリアルタイムで番組を見る場合の記録再生装置１の処理内容を説明するフローチャートである。」（【００５９】）、
　「ステップＳ２０１において、記録再生装置１は、映像デコード部３で復調した番組の映像信号をそのままモニタ８に供給し、ステップＳ２０２において、番組の映像等を出力する。この際、モニタ８から出力されている映像の映像信号は、同時にハードディスク５のリングバッファ領域に記録されている。」（【００６１】）、
　「番組が終了すると、・・・番組消去確認画面を表示する。視聴者は、・・・出力された番組を消去するか保存するかを選択する。番組を消去する場合は『ＹＥＳ』ボタンを押し、番組を保存する場合は『ＮＯ』ボタンを押す。」（【００６２】）、
　「・・・視聴者がＹＥＳ又はＮＯのボタンを押した場合はステップＳ２０５に進み、押さずに所定時間経過した場合はステップＳ２０８に進む。」（【００６３】）、
　「・・・視聴者がＹＥＳのボタンを押した場合は、ステップＳ２０６に進み、視聴者がＮＯのボタンを押した場合は、ステップＳ２０８に進む。」（【００６４】）、
　「視聴者がＹＥＳのボタンを押した場合は、ステップＳ２０６において図１９に示す消去確認画面を表示し、ステップＳ２０７において消去フラグを立て処理を終了する。」（【００６５】）、
　「また、ステップＳ２０４でボタンを押さずに所定時間経過した場合、またはステップＳ２０５でＮＯのボタンを押した場合は、ステップＳ２０８において、図２０に示す保存確認画面を表示し、ステップＳ２０９において、番組の消去フラグを下げて処理を終了する。」（【００６６】）
　とあり、
　「ステップＳ２０５でＮＯのボタンを押した場合は、ステップＳ２０８において、図２０に示す保存確認画面を表示し、ステップＳ２０９において、番組の消去フラグを下げて処理を終了する。」（【００６６】）で保存されるのは、「映像デコード部３で復調した番組の映像信号をそのままモニタ８に供給（し）」される番組であり、「上記再生手段により再生されたビデオ信号の映像」ではない。「この際、モニタ８から出力されている映像の映像信号は、同時にハードディスク５のリングバッファ領域に記録されている。」との説明は、「映像デコード部３で復調した番組の映像信号をそのままモニタ８に供給（し）」される番組が「同時に・・・リングバッファ領域に記録されている。」ことをいうのであって、「映像デコード部３で復調した番組の映像信号をそのままモニタ８に供給（し）」される番組が「上記再生手段により再生されたビデオ信号の映像」であることをいうものではない。
　したがって、図１７及びその説明（特に段落【００６５】）は、「上記制御手段は、上記再生手段により再生されたビデオ信号の映像が上記表示手段で表示された後、該表示手段で表示された映像のビデオ信号を視聴者の操作入力に基づき」「上記保存領域に保存（し）」することを説明していない。
　また、「視聴者がＹＥＳのボタンを押した場合は、ステップＳ２０６において図１９に示す消去確認画面を表示し、ステップＳ２０７において消去フラグを立て処理を終了する。」（【００６５】）から、「消去フラグを立て」「上記保存領域に保存（し）」するとはいえない。
　そうであるから、図１７及びその説明（特に段落【００６５】）は、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明していない。
　
　図２１及びその説明（特に段落【００７６】）は、上記したように「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明されていない。
　
　図２２及びその説明（特に段落【００８５】）には、
　「一方、ステップＳ３０２で番組を保存できるだけの容量がハードディスク５の保存領域にないと判断した場合は、図２２に示すステップＳ３２１に進む。」（【００８１】）、
　「ステップＳ３２３において、保存リストに示されている番組の中から消去できるものがあれば視聴者がリモコン１２の『ＹＥＳ』のボタンを押し、処理がステップＳ３２４に進む。また、視聴者がこの保存リストのなかには消去できるものがないと判断すればリモコン１２の『ＮＯ』のボタンを押し、処理が図２１に示すスタートから再度開始される。」（【００８４】）、
　「ステップＳ３２４において、視聴者は、図３０に示す保存リストの表示に基づき画面でカーソルを上下に動かし番組を選択する。そして、このステップＳ３２４において選択された番組に番組消去フラグを立てる。」（【００８５】）とあって、
　「上記制御手段は、上記再生手段により再生されたビデオ信号の映像が上記表示手段で表示された後、該表示手段で表示された映像のビデオ信号を視聴者の操作入力に基づき」「上記保存領域に保存（し）」することを説明するものではなく、「番組消去フラグを立て」「上記保存領域に保存（し）」するとはいえない。
　そうであるから、図２２及びその説明（特に段落【００８５】）は「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明していない。
　
　上記したように、図２及びその説明（特に段落【００２４】）には、「保存領域に」「消去可の状態」で「番組が記録されている」ことが説明されているといえ、「番組が記録されている」状態をいうのであって、番組を記録するときのことまでいうものではないから、その「番組が記録されている」状態を実現する実現の仕方は、図２及びその説明（特に段落【００２４】）だけからは不明であるが、当初明細書等には、上記したように、図２２及びその説明（特に段落【００８５】）に、「保存リストに示されている番組の中から消去できるものがあれば視聴者がリモコン１２の『ＹＥＳ』のボタンを押し、処理がステップＳ３２４に進（む）」（【００８４】）み、「このステップＳ３２４において選択された番組に番組消去フラグを立てる。」（【００８５】）こと、すなわち、すでに記録されている番組の「番組消去フラグを立てる」ことが説明されているから、当初明細書等は、図２及びその説明（特に段落【００２４】）に説明される「番組が記録されている」状態の実現について、「保存リストに示されている番組の中から消去できるものがあれば視聴者がリモコン１２の『ＹＥＳ』のボタンを押し、処理がステップＳ３２４に進（む）」（【００８４】）み、「このステップＳ３２４において選択された番組に番組消去フラグを立てる。」（【００８５】）こと、すなわち、すでに記録されている番組の「番組消去フラグを立てる」ことで実現することを説明しているといえる。
　そして、「保存リストに示されている番組の中から消去できるものがあれば視聴者がリモコン１２の『ＹＥＳ』のボタンを押し、処理がステップＳ３２４に進（む）」（【００８４】）み、「このステップＳ３２４において選択された番組に番組消去フラグを立てる。」（【００８５】）こと、すなわち、すでに記録されている番組の「番組消去フラグを立てる」ことは、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することではなく、それを説明するとはいえない。
　
　段落【００９８】には、「記録再生装置１では、番組が終了した後に番組消去確認画面を表示するため、再生はしたが実際には見ていない番組が自動的に消去されない。また、消去する番組には番組消去フラグを立てて管理するため、一度消去の処理をした後でも消去の取消をすることができる。」とある。
　「消去する番組には番組消去フラグを立てて管理するため、一度消去の処理をした後でも消去の取消をすることができる。」との説明は、「一度消去の処理をし（た）」ても番組自体は消去せずに「番組消去フラグを立てて管理する」から、番組消去フラグを下げることで「消去の取消をすることができる。」と理解できる。この説明から、「消去可の状態」で「番組が記録されている」ことは理解できるが、図２及びその説明（特に段落【００２４】）と同様に「番組が記録されている」状態を実現する実現の仕方は、不明であり、やはり、図２及びその説明（特に段落【００２４】）と同様に「保存リストに示されている番組の中から消去できるものがあれば視聴者がリモコン１２の『ＹＥＳ』のボタンを押し、処理がステップＳ３２４に進（む）」（【００８４】）み、「このステップＳ３２４において選択された番組に番組消去フラグを立てる。」（【００８５】）こと、すなわち、すでに記録されている番組の「番組消去フラグを立てる」ことによってなされると理解される。
　「番組が終了した後に番組消去確認画面を表示するため、再生はしたが実際には見ていない番組が自動的に消去されない。」との説明は、「再生はしたが実際には見ていない」から「再生中に電話に出ていた等の事情により」（【０００４】）視聴者が不在であることを想定して説明されていると理解され、視聴者が不在であって「番組消去確認画面」の操作を行わない場合を説明していると理解できる。そして、「再生はしたが実際には見ていない番組が自動的に消去されない」のであるから、番組には「番組消去フラグを立て」ていないものと理解できる。
　そうすると、段落【００９８】においても、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明するとはいえない。
　
　また、当初明細書等の段落【００３０】に、「ハードディスク５に記録されている番組は、番組消去フラグが立っていて」（【００３０】）と説明され、ここにも、「消去可の状態」で「番組が記録されている」ことが説明されているといえるが、図２及びその説明（特に段落【００２４】）と同様に、その実現は、「保存リストに示されている番組の中から消去できるものがあれば視聴者がリモコン１２の『ＹＥＳ』のボタンを押し、処理がステップＳ３２４に進（む）」（【００８４】）み、「このステップＳ３２４において選択された番組に番組消去フラグを立てる。」（【００８５】）こと、すなわち、すでに記録されている番組の「番組消去フラグを立てる」ことによってなされると理解され、ここにおいても「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明するとはいえない。
　
　上記の他、当初明細書等の記載に、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを説明する個所はなく、当初明細書等の全体の記載から見ても自明であるということもできない。
　
　更に、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することが、周知慣用の技術であって当初明細書等に記載されているものである、ということもできない。
　
　以上のように、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することは、当初明細書等に説明されているとはいえず、自明であるということができず、周知慣用の技術であって当初明細書等に記載されているものであるということもできないものであるから、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを含む請求項１に補正する本件補正は、当初明細書等のすべての記載を総合することにより導かれる技術的事項との関係において、新たな技術的事項を導入しないものでないというべきものである。
　したがって、本件補正は、本件出願の願書に最初に添付した明細書又は図面に記載した事項の範囲内においてするものとはいえず、特許法第１７条の２第３項の規定に違反する。
　
　３　むすび
　以上のとおり、平成１９年８月２０日付けの手続補正は、特許法第１７条の２第３項の規定に違反するので、同法第１５９条第１項で読み替えて準用する同法第５３条第１項の規定によって却下すべきものである。
　よって、〈補正却下の決定の結論〉のとおり、決定する。
　
第３　平成１９年１月１５日付け手続補正
　１　補正の内容
　平成１９年１月１５日付け手続補正により補正する特許請求の範囲の請求項１は、次のとおりである。
「ビデオ信号が連続的に上書記録されていくリングバッファ領域とビデオ信号が保存される保存領域とからなるランダムアクセス可能な記録媒体と、
　ビデオ信号を受信する受信手段と、
　上記受信手段により受信したビデオ信号を上記記録媒体のリングバッファ領域に記録する記録手段と、
　上記記録媒体に記録されたビデオ信号を再生する再生手段と、
　上記受信手段により受信したビデオ信号又は上記再生手段により再生されたビデオ信号に基づき映像を表示する表示手段と、
　上記記録媒体に記録されたビデオ信号の保存又は消去の管理を行う制御手段とを備え、
　上記制御手段は、上記受信手段によりで受信したビデオ信号又は上記再生手段により再生されたビデオ信号の映像が上記表示手段で表示された後、該表示手段で表示された映像のビデオ信号を視聴者の操作入力に基づき消去可または消去不可の状態で上記保存領域に保存し、上記保存領域に保存したビデオ信号の保存又は消去の管理を行うことを特徴とする記録再生装置」
　
　２　補正の適否
　上記平成１９年１月１５日付け手続補正により補正する特許請求の範囲の請求項１は、平成１９年８月２０日付けの手続補正により補正する特許請求の範囲の請求項１と同じく、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することを含む。
　そして、「上記制御手段は、上記再生手段により再生されたビデオ信号の映像が上記表示手段で表示された後、該表示手段で表示された映像のビデオ信号を視聴者の操作入力に基づき消去可の状態で上記保存領域に保存（し）」することは、上記補正却下の決定で述べたように、当初明細書等に記載が無く、自明でもなく、記載されているものというべきものでもない。
　したがって、上記補正却下の決定で述べたと同様に、平成１９年１月１５日付け手続補正は、当初明細書等のすべての記載を総合することにより導かれる技術的事項との関係において、新たな技術的事項を導入しないものでないというべきものであり、本件出願の願書に最初に添付した明細書又は図面に記載した事項の範囲内においてするものとはいえないから、特許法第１７条の２第３項に規定する要件を満たしていない。
　
第３　むすび
　以上のとおり、平成１９年１月１５日付け手続補正は、特許法第１７条の２第３項に規定する要件を満たしていないから、本件出願は、拒絶すべきものである。
　よって、結論のとおり審決する。